(57)【要約】【課題】台形状の複合窓枠についてデザインの統一性を保持しつつ、方立を介して連結する複合台形窓枠の連結構造を提供する。【解決手段】金属枠４の室内側に樹脂枠５を配設した複合台形窓枠１を横方向に連設する複合台形窓枠の連結構造であって、複合台形窓枠１は上下枠１０、２０及び左右の縦枠３０、３０を台形状に枠組みし、樹脂枠５は略四周に渡って室内側に突出するアングル片を有し、各複合台形枠体１は方立２を介して横方向に連設し、方立２は上枠１０の上端から下枠２０の下端に渡る室外部４３と、上枠１０のアングル片１４から下枠２０のアングル片２４に渡る室内部４４とからなり、室内部４４の室内側面にはカバー体７を設け、方立の室外部４３はその上面を上枠１０の上面と略連続した傾斜状に形成し、カバー体７はその上面を上枠１０のアングル片１４の上面と略連続した傾斜状に形成してなる。【選択図】  図８
2005030000.tif 000002
【特許請求の範囲】
【請求項１】
金属枠の室内側に樹脂枠を配設した複合台形窓枠を横方向に連設する複合台形窓枠の連結構造であって、
上記複合台形窓枠は上下枠及び左右の縦枠を上枠が傾斜するように台形状に枠組みし、上記樹脂枠は略四周に渡って室内側に突出するアングル片を有してなると共に、各複合台形窓枠を方立を介して横方向に連設し、
上記方立は互いに対向する各縦枠の間に配置され、上記上枠の上端から下枠の下端に渡って配設される室外部と、上記上枠のアングル片から下枠のアングル片に渡って配設される室内部とからなると共に、該室内部の室内側面には樹脂からなるカバー体を設け、
上記方立の室外部はその上面を上記上枠の上面と略連続した傾斜状に形成すると共に、上記カバー体はその上面を上記上枠のアングル片の上面と略連続した傾斜状に形成してなることを特徴とする複合台形窓枠の連結構造。
【請求項２】
上記上枠は両端面を傾斜状に形成すると共に、略直立状に形成されてなる縦枠の上端部側面に当接固定することを特徴とする請求項１記載の複合台形窓枠の連結構造。
【請求項３】
上記縦枠の上枠との突き合わせ部分は上記方立の室外部を介して対向するように配置されると共に、上記縦枠は上記方立の室外部の室外側面に設けられたタイト材に当接することを特徴とする請求項１または２記載の複合台形窓枠の連結構造。
【請求項４】
上記方立は室内部において隣接する上記縦枠をそれぞれ固定して上記枠体を横方向に連設することを特徴とする請求項１〜３のいずれか１項に記載の複合台形窓枠の連結構造。
【発明の詳細な説明】
【０００１】
【発明の属する技術分野】
本発明は枠材を台形状に枠組みしてなる枠体を横方向に連結してなる台形窓枠の連結構造に関し、特に金属枠の室内側に樹脂枠を配設してなる複合枠材を台形状に枠組みして方立を介して横方向に連結する複合台形窓枠の連結構造に関する。
【０００２】
【従来の技術】
従来から、金属枠からなる窓枠を金属方立を介して横方向に連結してなるいわゆる組合せ窓が建物の窓などに用いられている。また、金属枠の室内側に樹脂枠を配設して、断熱性及び意匠性を向上させた複合窓枠を横方向に連結してなるものもある。このような窓枠の連結構造としては、例えば特許文献１に示すようなものがある。
【０００３】
【特許文献１】
特開平１１−１０７６３３号公報
【０００４】
【発明が解決しようとする課題】
しかし、従来の複合窓枠を連結してなる組合せ窓は、各枠材がそれぞれ直交するように長方形状に枠組みした複合窓枠についてのものであり、枠材を台形状に枠組みした複合窓枠についての組合せ窓は存在しなかった。金属枠のみからなる台形状の枠体を横方向に連結する組合せ窓は存在するものの、複合窓枠においては、室内側に樹脂枠を有すると共に、各複合窓枠を連結する方立にも樹脂製の方立カバーを設けるため、いずれかの枠が斜めに配設される台形状の複合窓枠を連結した組合せ窓をデザインの統一性を保持しつつ構成することは困難である。
【０００５】
本発明は、上記従来の問題点に鑑みてなされたものであり、台形状の複合窓枠についてデザインの統一性を保持しつつ、方立を介して連結する複合台形窓枠の連結構造を提供することを目的とする。
【０００６】
【課題を解決するための手段】
上記課題を解決するため、本発明に係る複合台形窓枠の連結構造は、金属枠の室内側に樹脂枠を配設した複合台形窓枠を横方向に連設する複合台形窓枠の連結構造であって、
上記複合台形窓枠は上下枠及び左右の縦枠を上枠が傾斜するように台形状に枠組みし、上記樹脂枠は略四周に渡って室内側に突出するアングル片を有してなると共に、各複合台形窓枠を方立を介して横方向に連設し、
上記方立は互いに対向する各縦枠の間に配置され、上記上枠の上端から下枠の下端に渡って配設される室外部と、上記上枠のアングル片から下枠のアングル片に渡って配設される室内部とからなると共に、該室内部の室内側面には樹脂からなるカバー体を設け、
上記方立の室外部はその上面を上記上枠の上面と略連続した傾斜状に形成すると共に、上記カバー体はその上面を上記上枠のアングル片の上面と略連続した傾斜状に形成してなることを特徴として構成されている。
【０００７】
また、本発明に係る複合台形窓枠の連結構造は、上記上枠は両端面を傾斜状に形成すると共に、略直立状に形成されてなる縦枠の上端部側面に当接固定することを特徴として構成されている。
【０００８】
さらに、本発明に係る複合台形窓枠の連結構造は、上記縦枠の上枠との突き合わせ部分は上記方立の室外部を介して対向するように配置されると共に、上記縦枠は上記方立の室外部の室外側面に設けられたタイト材に当接することを特徴として構成されている。
【０００９】
さらにまた、本発明に係る複合台形窓枠の連結構造は、上記方立は室内部において隣接する上記縦枠をそれぞれ固定して上記枠体を横方向に連設することを特徴として構成されている。
【００１０】
【発明の実施の形態】
本発明の実施の形態について、図面に沿って詳細に説明する。図１は、本実施形態における複合台形窓枠を複数連結したサッシの正面図である。また、図２は、複合台形窓枠を複数連結したサッシの縦断面図であり、図３は、複合台形窓枠を複数連結したサッシの横断面図である。これら各図において、本実施形態における複合台形窓枠の連結構造は、金属枠４の室内側に樹脂枠５を配設した複合枠体１を方立２を介して横方向に連設するものである。各複合枠体１は上枠１０と下枠２０及び左右の縦枠３０、３０を上枠１０が傾斜するように台形状に枠組みしたものである。
【００１１】
まず各複合枠体１について説明する。図１のように、複合枠体１を構成する左右の縦枠３０、３０はそれぞれ長さが異なり、下端は同高さに配置して下枠２０は略水平に配設される。一方、上端はそれぞれ高さが異なるので、上枠１０は傾斜状に配設される。縦枠３０は略直立状に形成されており、上枠１０は縦枠３０に略適合するようにその両端面を傾斜状に形成している。すなわち、上枠１０は高さの異なる縦枠３０、３０間を懸架するように傾斜配置され、複合枠体１を台形状としている。
【００１２】
また、図２及び図３に示すように、複合枠体１を構成する上枠１０と下枠２０及び左右の縦枠３０、３０は、金属上枠１１の室内側露出部分に樹脂上枠１２を、金属下枠２１の室内側露出部分に樹脂下枠２２を、金属縦枠３１の室内側露出部分に樹脂縦枠３２を、それぞれ配設している。このように金属枠４の室内側露出部分に樹脂枠５を配設することにより、断熱性を高めることができると共に、デザインの統一性を図ることができて、意匠性を向上させることができる。金属枠４に対する樹脂枠５の固定は、各樹脂枠５に設けた係合部を金属枠４に係合固定させると共に、樹脂枠５から金属枠４に対するネジ止めを行うことによりなされる。これら金属枠４は、アルミの押出型材からなると共に、樹脂枠５は、塩化ビニルやアクリル樹脂等から成型される。
【００１３】
各樹脂枠５は、室内側に突出するアングル片を有しており、樹脂上枠１２にはその略全長に渡って上アングル片１４が、樹脂下枠２２にはその略全長に渡って下アングル片２４が、樹脂縦枠３２にはその略全長に渡って縦アングル片３４が、それぞれ形成されている。すなわち、上アングル片１４と下アングル片２４及び左右の縦アングル片３４、３４によって、樹脂枠５は略四周に渡って室内側に突出するアングル片を形成されている。各アングル片より見付方向外側には、図示しない化粧額縁が略四周に渡って設けられる。アングル片と化粧額縁とは、それぞれネジ止めにより固定される。
【００１４】
各複合枠体１に納められるガラス３は、押縁構造によって固定されている。図２及び図３に示すように、上枠１０は、ガラス３の室外側に見付方向内側に向かって突出する延出片１１ａを備えている。また、下枠２０は、ガラス３の室外側に見付方向内側に向かって突出する延出片２１ａを備えている。同様に、縦枠３０は、ガラス３の室外側に見付方向内側に突出する延出片３１ａを備えている。そして、ガラス３の室内側には、上枠１０と下枠２０及び縦枠３０に対してそれぞれその長手方向略全長に渡って押縁部材６が設けられ、これら延出片と押縁部材６により、ガラス３を挟持すると共に固定する。
【００１５】
このように構成された各複合枠体１を横方向に連設する連結構造について説明する。本実施形態のサッシは、上枠１０を傾斜状に配置した台形窓を横方向に連結するもので、図１に示すように、次第に高さが低くなる３つの複合枠体１をそれぞれ方立２を介して連結している。方立２は、図３に示すように、互いに対向する縦枠３０間に設けられて、それぞれの縦枠３０を固定する。図４には、方立２の正面図を示す。方立２は、室外部４３と室内部４４とを一体的に成型した金属材からなり、上端付近と下端付近はそれぞれ室外部４３のみからなるように切り欠いて形成され、中央部は室外部４３と室内部４４の両方からなるように形成される。また、室外部４３の下端は下枠２０に合わせて水平状に形成し、上端は傾斜配置される上枠１０に合わせて傾斜状に形成する。室内部４４は上端と下端共に水平状に形成する。
【００１６】
方立２の室外部４３は、その室外側端部に長手方向略全長に渡ってタイト材４０を保持し、縦枠３０は室外側からそのタイト材４０に当接して、サッシの水密性を確保している。一方、室内部４４は、縦枠３０を固定するための被係合部４２を備えると共に、室内側端部には平面状の延出部４１を備えている。被係合部４２は、複合枠体１の外側に向かって突出する金属縦枠３１の係合部３５と係合し、縦枠３０を固定する。また、延出部４１は金属縦枠３１の室内側面に室内側から当接し、その室内側面に長手方向数カ所でネジ止めすることにより、縦枠３０を固定する。
【００１７】
隣接する縦枠３０、３０を方立２により連結すると、方立２の平面状からなる延出部４１と、それぞれの縦枠３０の室内側に突出する縦アングル片３４、３４により凹部が形成される。そしてこの凹部を略覆う方立カバー７が設けられる。方立カバー７は、凹部に加えて、縦アングル片３４の室内側面も略覆っており、室内側から見た複合枠体１の連結部分を略覆う構成とされている。また、方立カバー７は縦アングル片３４の見込方向長さと略同じ見込方向寸法に形成されるので、方立２に方立カバー７を取付けることにより、複合枠体１、１を室内側から見て略連続状とし、一体感を確保することができる。
【００１８】
方立カバー７は、樹脂材から成型された中空状の部材からなり、金属からなる方立２を室内側から略覆うものである。このため、サッシの断熱性及び意匠性を向上させることができる。また、方立カバー７の固定は、縦アングル片３４からネジ止めされることによりなされる。この場合、金属部分を介することなく方立カバー７を固定することができるので、サッシの断熱性を確保することができる。
【００１９】
さらに、方立カバー７は、化粧額縁を取付けた場合に方立２が室内側に露出する上アングル片１４から下アングル片２４までの間に渡って設けられる。このため、方立カバー７の下端は下アングル片２４に略適合するように水平状に形成されている。一方、方立カバー７の上端は、傾斜した上アングル片１４の上面に略適合するように傾斜状に形成されている。このように形成することにより、サッシの一体感を確保することができる。図５には、複合枠体１の連結部分における上端付近の拡大図を示す。この図に示すように、方立カバー７の上面は、傾斜した上アングル片１４の上面と略連続状となるように配置される。
【００２０】
図６には、複合枠体１の連結部分の分解平面図を示す。方立２に固定される縦枠３０は、建物開口部に固定される縦枠３０と同じものを用いることができる。ただし、建物開口部に対する固定フィンを有しているため、そのままでは方立２に対する固定を行うことができない。そのため、固定フィン部分については方立２に対する固定時には切り取っておく必要がある。固定フィン部分は、薄肉状に形成されているので、任意の切断具によって、その不要部分を容易に切断することができる。
【００２１】
このように不要部分を切り取られた縦枠３０は、その係合部３５を方立２の被係合部４２に対して係合させると共に、延出片４１から縦枠３０に対してネジ止めすることにより、各縦枠３０、３０を固定する。その上で、方立２の室内側に形成される凹部に対して、方立カバー７を納めると共に、縦アングル片３４から方立カバー７をネジ止めする。
【００２２】
図７には、複合枠体１の連結部分の分解正面図を示す。複合枠体１の上枠１０は、端面を傾斜状に形成されると共に、縦枠３０の側面に当接させて連結されている。このため、縦枠３０の上面は上枠１０の上面と略連続状となる傾斜状に形成されている。また、方立２に対しては、両側から縦枠３０、３０を突き合わせて固定する。縦枠３０、３０の方立２に対する固定は、方立２の室内部４４によってなされる。ここで、室内部４４は、その上端が縦枠３０、３０を固定した際の上アングル片１４、１４を結んだ線よりも下方となるように配置される。室内部４４の室内側には、上述した方立カバー７が設けられるので、室内部４４が室内側に直接露出することはない。したがって、室内部４４の形状はこれに限られないが、本実施形態に示すように、必ずしも傾斜状の上枠１０に合わせてその上端を傾斜状とする必要はない。
【００２３】
図８には、複合枠体１の連結部分の分解斜視図を示す。この図に示すように、方立２については、室外部４３の上端は連結する各複合枠体１、１の上枠１０の傾斜に略適合するように傾斜状に形成され、その一方、室内部４４の上端は略水平状に形成される。また、方立カバー７については、その上端は連結する各複合枠体１の上アングル片１４、１４の傾斜に略適合するように傾斜状に形成される。
【００２４】
方立２の室外部４３は、複合枠体１の連結部分における水密性を確保するために、タイト材４０を有しているため、複合枠体１の上端から下端に渡って設けられる必要があり、したがってその両端面は複合枠体１の上枠１０及び下枠２０の形状に略適合するように形成される。一方、方立２の室内部４４は、複合枠体１の縦枠３０を固定するものであり、上アングル片１４から下アングル片２４に渡って設けられ、しかもそれが方立カバー７により室内側には露出しないので、上端部について傾斜配置される上枠１０に適合するように形成する必要がなく、本実施形態のように略水平状として簡易な加工により方立２を形成することができる。
【００２５】
これまで、本発明の実施形態について説明したが、本発明の適用はこの実施形態に限られるものではなく、その技術的思想の範囲内において、様々に適用されうるものである。例えば、本実施形態では、横方向に３つの複合枠体１を連結したサッシを示したが、連結数はいくつであってもよく、それぞれの連結部分に適合するように方立２及び方立カバー７を形成すればよい。すなわち、連結数がいくつであっても、方立２はその室外部４３の上端を上枠１０に合わせて略傾斜状とし、方立カバー７の上端も、上枠１０のアングル片１４に合わせて略傾斜状とすることで、台形窓を連結したサッシにおいて、一体感を確保することができる。
【００２６】
【発明の効果】
以上のように、本発明に係る複合台形窓枠の連結構造によれば、複合台形窓枠を方立を介して横方向に連設し、方立の室外部はその上面を上枠の上面と略連続した傾斜状に形成し、カバー体はその上面を上枠のアングル片の上面と略連続した傾斜状に形成したことにより、室外側において水密性を確保し、室内側において窓枠を連結すると共に、その連結部分をカバー体により被覆することができ、複合台形窓枠について、特に傾斜した上端部付近においてデザインの統一性を保持しつつ、方立を介して連結することができる。
【００２７】
また、本発明に係る複合台形窓枠の連結構造によれば、縦枠の上枠との突き合わせ部分は方立の室外部を介して対向するように配置され、縦枠は方立の室外部の室外側面に設けられたタイト材に当接することにより、上枠の上端から下枠の下端に渡って配設される室外部により、サッシの水密性を充分に確保することができる。
【００２８】
さらに、本発明に係る複合台形窓枠の連結構造によれば、方立は室内部において隣接する縦枠をそれぞれ固定して枠体を横方向に連設することにより、室内部は上枠のアングル片から下枠のアングル片に渡って配設されるので、その形状を必ずしも台形窓に適合する傾斜状としなくてもよく、方立の加工が容易となる。
【図面の簡単な説明】
【図１】本実施形態における複合台形窓枠を複数連結したサッシの正面図である。
【図２】本実施形態における複合台形窓枠を複数連結したサッシの縦断面図である。
【図３】本実施形態における複合台形窓枠を複数連結したサッシの横断面図である。
【図４】本実施形態における方立の正面図である。
【図５】本実施形態における複合台形窓枠の連結部分の上端付近を示した拡大図である。
【図６】本実施形態における複合台形窓枠の連結部分を示した分解平面図である。
【図７】本実施形態における複合台形窓枠の連結部分を示した分解正面図である。
【図８】本実施形態における複合台形窓枠の連結部分を示した分解斜視図である。
【符号の説明】
１      複合枠体
２      方立
３      ガラス
４      金属枠
５      樹脂枠
６      押縁部材
７      方立カバー
１０      上枠
２０      下枠
３０      縦枠
３５      係合部
４０      タイト材
４１      延出部
４２      被係合部
４３      室外部
４４      室内部
【図１】
2005030000.tif 000003
【図２】
2005030000.tif 000004
【図３】
2005030000.tif 000005
【図４】
2005030000.tif 000006
【図５】
2005030000.tif 000007
【図６】
2005030000.tif 000008
【図７】
2005030000.tif 000009
【図８】
2005030000.tif 000010